(57)【特許請求の範囲】
【請求項１】
部品取付用の取付穴が周縁部に設けられたデモレンズを、その屈折面に当接する保持部材を介して保持可能に設けられたデモレンズ保持手段と、
前記デモレンズ保持手段により保持されたデモレンズの左右眼に対応させて、研削加工後のリムレスレンズを、その屈折面に当接する保持部材を介して保持するレンズ保持手段と、
前記レンズ保持手段に保持された研削加工後のリムレスレンズの周縁部の所定位置に部品取付用の取付穴をあけるための穴加工手段と、
前記デモレンズ保持手段に保持されたデモレンズを傾斜調整することにより、前記レンズ保持手段に保持された研削加工後のリムレスレンズを前記穴加工手段の軸線に対して傾斜調整する傾斜調整手段とを有することを特徴とするリムレスレンズの部品取付用の取付穴あけ装置。
【発明の詳細な説明】
【０００１】
【産業上の利用分野】
この発明は、リムレスレンズの周縁部に例えばブリッジやテンプル（耳掛け）等の部品取付用の取付穴（レンズ止め用の穴）をあけるためのリムレスレンズの部品取付用の取付穴あけ装置に関するものである。
【０００２】
【従来の技術】
一般に、プラスチック等からなるリムレスレンズを用いたリムレスメガネでは、両端部に被取付部（レンズ止め）が一体に設けられたブリッジを左右のリムレスレンズ間に配設して、このブリッジの両端部のレンズ止めを左右のリムレスレンズにネジで固定することにより、この左右のリムレスレンズをブリッジで結合している。また、このリムレスメガネでは、各リムレスレンズのブリッジとは反対側の縁部にテンプル取付用金具（レンズ止め）をネジで固定して、このレンズ止めにテンプル（耳掛け）を蝶番を介して取り付けているのが普通である。
【０００３】
このリムレスメガネを製造する場合、未加工レンズを玉摺機でデモレンズの形状に研削加工してリムレスレンズとした後、この様にして研削された左右のリムレスレンズにブリッジやテンプル取付用金具等の部品を取り付けるための取付穴をそれぞれあけている。
【０００４】
そして、この取付穴をあける前には、取付穴が設けられた平坦なデモレンズと研削加工されたリムレスレンズとを重ね合わせて、デモレンズの取付穴にマーカーの先端を挿通してリムレスレンズに取付穴の穿設位置の印（マーク）を付けている。この後、このリムレスレンズの印の部分に熟練した眼鏡技術者がその取付穴（レンズ止め用の穴）をあけていた。
【０００５】
【発明が解決しようとする課題】
ところで、この取付穴をリムレスレンズの周縁部の所定位置にあける場合には、リムレスレンズの屈折面は湾曲しているため、ネジによる部品固定の関係上、リムレスレンズの屈折面上における接平面に対して直角にあける必要がある。
【０００６】
しかしながら、リムレスレンズの屈折面上における接平面に直角に穴をあけるのは極めて困難であり、堪に頼らざるを得ないものであった。しかも、接平面に対して斜め方向に穴をあけた場合には、レンズ止めを有するブリッジやテンプル取付金具等の部品や蝶番を調節して、リムレスレンズが外れないようにしているのが現状であった。
【０００７】
従って、リムレスレンズの部品取付用の取付穴（レンズ止め用の穴）を屈折面の接平面に対して直角に容易にあけることができる装置が望まれていた。
【０００８】
そこで、この発明の目的は、周縁部がデモレンズ形状に研削加工されたリムレスレンズの周縁部に設ける部品取付用の取付穴を、熟練を要せずに屈折面の接平面に対して直角に容易にあけることができるリムレスレンズのレンズ止め穴明け装置を提供することにある。
【０００９】
【課題を解決するための手段】
この目的を達成するために、この発明は、部品取付用の取付穴が周縁部に設けられたデモレンズを、その屈折面に当接する保持部材を介して保持可能に設けられたデモレンズ保持手段と、前記デモレンズ保持手段により保持されたデモレンズの左右眼に対応させて、研削加工後のリムレスレンズを、その屈折面に当接する保持部材を介して保持するレンズ保持手段と、前記レンズ保持手段に保持された研削加工後のリムレスレンズの周縁部の所定位置に部品取付用の取付穴をあけるための穴加工手段と、前記デモレンズ保持手段に保持されたデモレンズを傾斜調整することにより、前記レンズ保持手段に保持された研削加工後のリムレスレンズを前記穴加工手段の軸線に対して傾斜調整する傾斜調整手段とを有するリムレスレンズの部品取付用の取付穴あけ装置としたことを特徴とする。
【００１０】
【実施例】
次に、この発明の一実施例を図面に基づいて説明する。
【００１１】
この発明にかかるリムレスレンズの部品取付用の取付穴あけ装置は、図１〜図６に示した穴あけ装置本体１と、図７〜図１０に示したマーク付け装置２を備えている。
【００１２】
＜穴あけ装置本体１＞
この穴あけ装置本体１は、図１〜図３に示したベースプレート３と、ベースプレート３上に図３の如く装着された移動手段としてのＸ−Ｙテーブル４と、Ｘ−Ｙテーブル４上に装着したデモレンズ保持手段５及びレンズ保持手段６と、このデモレンズ保持手段５とレンズ保持手段６を同期連動させる保持手段連動手段７、Ｘ−Ｙテーブル４に近接させてベースプレート３上に配設した穴位置検出手段８及び穴加工手段９と、図１中Ｘ−Ｙテーブル３の右側方に位置させてベースプレート３上に設けたコントロールボックスＣを有する。
【００１３】
（Ｘ−Ｙテーブル４）
Ｘ−Ｙテーブル４は、図３，図４に示した様にベースプレート３上に図中左右に向けて固定されたガイドレール１０，１０と、ガイドレール１０，１０に左右（Ｘ方向）に進退移動可能に装着されたＸテーブル１１と、Ｘテーブル１１上に図中上下方向すなわち前後方向（Ｙ方向）に向けて固定されたガイドレール１２，１２と、ガイドレール１２，１２上に上下方向（Ｙ方向）に向けて進退移動可能に装着されたＹテーブル１３を有する。
【００１４】
このＹテーブル１３上には図１，図４中左右（Ｘ方向）に延びる支持壁１４，１５が固定されている。この支持壁１４，１５は、Ｙ方向（前後方向）に間隔をおいて平行に配設されている。この支持壁１４，１５間に上述したデモレンズ保持手段５及びレンズ保持手段６が保持されている。
【００１５】
（デモレンズ保持手段５）
このデモレンズ保持手段５は、支持壁１４，１５を貫通し且つ支持壁１４，１５に回転自在に保持された操作軸１６と、操作軸１６が周面中央を貫通し且つこの操作軸１６の中央に保持された円柱体１７と、この円柱体１７の両端面に固定されたゴム・合成樹脂等からなるパッド１８，１９（弾性摩擦保持部材）と、円柱体１７の周面中央に操作軸１６と直交して固定された支持軸２０と、支持軸２０の自由端部に設けられた位置決フランジ２１を有する。このパッド１８，１９の表面には、図６(b)に示した様な位置決線１８ａ，１９ａが付されている。
【００１６】
また、デモレンズ保持手段５は、操作軸１６の一端部側に保持されたコ字状の支持部材２２を有する。この支持部材２２は、操作軸１６と平行に円柱体１７側に向けて延びる対向片２２ａ，２２ｂを有する。
【００１７】
更に、デモレンズ保持手段５は、操作軸１６に沿って平行に配設された支持アーム２３，２４と、支持アーム２３，２４の一端部を貫通して対向片２２ａ，２２ｂに螺着されて支持アーム２３，２４を対向片２２ａ，２２ｂに固定している固定ネジ２５，２６と、支持アーム２３，２４の他端部に操作軸１６に向けて螺着されたクランプネジ２７，２８と、クランプネジ２７，２８の先端部に保持された円板２９，３０と、ゴム・合成樹脂等からなり円板２９，３０の端面に固着されたパッド３１，３２（弾性摩擦保持部材）を有する。
【００１８】
尚、３３は操作軸１６の一端部に固定された傾斜調整操作用の操作ツマミである。
【００１９】
（レンズ保持手段６）
このレンズ保持手段６もデモレンズ保持手段５と構成が同じであるので、このデモレンズ保持手段５と同じ部材或は類似する部材にはデモレンズ保持手段５に用いた符号に「´」を付した符号を付して、その説明を省略する。
【００２０】
（保持手段連動手段７）
この保持手段連動手段７は、操作軸１６，１６´の他端部に固定されたタイミングギヤ３４，３５と、タイミングギヤ３４，３５に掛け渡されたタイミングベルト３６から構成されている。
【００２１】
（穴位置検出手段８）
この穴位置検出手段８は、図１，図２に示した様に、ベースプレート３上に植立固定された支持プレート４０を有する。この支持プレート４０は、図１中、上下に延びる壁部４０ａと、左右に延びる壁部４０ｂから平面形状がＬ字状に形成されている。そして、壁部４０ａには回転支持軸としての支持ボルト４１の先端部が螺着され、支持ボルト４１には図２に示した様に側面形状が略方形の支持駒４２が回転可能に保持されている。
【００２２】
この支持駒４２には下縁が支持ボルト４１の軸線Ｏよりも下方に位置する傾斜面４２ａが壁部４０ａ側の上角部に形成されている。これにより、図２の状態では、支持駒４２の端面４２ｂが壁部４０ａに当接して、支持駒４２が反時計回りに回転できないが、時計回り方向には回転できるようになっている。
【００２３】
また、この支持駒４２と支持ボルト４１との間には支持ボルト４１に捲回したトーションスプリング４３が介装されている。このトーションスプリング４３は、支持駒４２は図２中反時計回り方向に回動付勢して、支持駒４２の端面を壁部４０ａに当接させている。
【００２４】
この支持駒４２の上面にはＸ−Ｙテーブル４の上方に向けてＹ方向に延びる支持板４４が固定され、支持板４４の自由端部下面にはテーパ状の穴係合子４５が固定されている。
【００２５】
（穴加工手段９）
この穴加工手段９は、図１に示した様に、ベースプレート３上に固定された一対のフレーム板５０，５０´を有する。このフレーム板５０，５０´は、鉛直部５０ａと、鉛直部５０ａの上端からＸ−Ｙテーブル４側にＹ方向に延びる水平部５０ｂから側面形状が逆Ｌ字状に形成されている。
【００２６】
この水平部５０ｂ，５０ｂの先端部間には上下に延びるガイドプレート５１が固定され、このガイドプレート５１には上下に間隔をおいて上下に延びる一対の長孔５１ａ，５１ａが形成され、このガイドプレート５１の両面側には昇降プレート５２，５３が配設されている。この昇降プレート５２，５３は、昇降プレート５３及び長孔５１ａ，５１ａを貫通し且つ先端部が昇降プレート５２に螺着されたボルト５４，５４で、互いに一体に且つガイドプレート５１に沿って昇降可能に結合されている。
【００２７】
昇降プレート５２にはＬ字状の支持台５５が固定され、支持台５５上にはドリル駆動用のモータ５６が固定され、モータ５６の回転出力軸５６ａ（主軸）の下端部にはドリル保持用のドリルチャック５７が保持され、このドリルチャック５７にはドリル５８が着脱可能に保持されている。尚、昇降プレート５３の背面中央には突起５３ａ，５３ａが突設され、この突起５３ａ，５３ａ間には係合ピン５９が保持されている。
【００２８】
フレーム板５０には、鉛直部５０ａの上部外面に位置させて駆動装置６０がビス６１，６１で固定されている。この駆動装置６０は図示しないモータ及びこのモータに連動するギヤ減速装置を備え、このギヤ減速装置の出力軸６０ａがフレーム板５０を貫通してフレーム板５０，５０´間に配置されている。
【００２９】
この出力軸６０ａには円板状のカム６２が同軸に一体に設けられ、カム６２の周面には位置検出用の切欠６２ａが形成され、フレーム板５０の内面にはカム６２に近接してマイクロスイッチ６３が固定されている。このマイクロスイッチ６３はアクチュエータレバー６３ａを有し、このアクチュエータレバー６３ａの先端部に設けた係合ローラ６３ｂがカム６２の周面に弾接させられている。
【００３０】
フレーム板５０，５０´には上部に位置させた支持軸６４の両端部に保持され、この支持軸６４には板状の駆動レバー６５の中間部が回転自在に保持されている。この駆動レバー６５の一端部には先端に開放するスリット状の係合切欠６５ａが形成され、この係合切欠６５ａには係合ピン５９が係合させられている。
【００３１】
また、駆動レバー６５の他端部にはリンク板６６上端部が枢軸６７を介して回転自在に保持され、このリンク板６６の下端部にはカム板６２の側面の偏心した位置（周縁部）に取り付けた枢軸６８が回転自在に保持されている。尚、マイクロスイッチ６３のローラ６３ｂがカム６２の切欠６２ａに係合しているときには、昇降プレート５２，５３と一体に昇降するドリル５８が上死点に位置させられるようになっている。
【００３２】
（コントロールボックスＣ）
このコントロールボックスＣには、電源スイッチ７０，逆転スイッチ７１，スタートスイッチ７２が設けられている。
【００３３】
この電源スイッチ７０をONさせると、図示しない制御回路が作動させられる。この状態でこの制御回路は、スタートスイッチ７２をONさせると、モータ５６を作動させて回転出力軸５６ａを回転駆動させ、ドリル５８を回転させる一方、駆動装置６０を作動させて出力軸６０ａを正回転させる。この回転に伴い、カム６２が一回転させられて、図２中、リンク板６６が駆動レバー６５の右端部を上方に変位させた後に下方に変位させることにより、駆動レバー６５の左端部が降下させられた後に上昇させられる。この際、昇降プレート５２，５３がモータ５６及びドリル５８と一体に駆動レバー６５により降下させられた後に上昇させられる。
【００３４】
そして、ドリル５８が上死点まで変位させられると同時に、マイクロスイッチ６３の係合ローラ６３ｂがカム６２の切欠６２ａに係合させられると、マイクロスイッチ６３がこの位置（初期位置）を検知して検知信号を出力する。この検知信号は制御回路に入力され、制御回路はこの検知信号を受けると、モータ５６及び駆動装置６０の作動を停止させる。
【００３５】
また、制御回路は、このドリル５８が降下させられている途中で、逆転スイッチ７１がONさせると、駆動装置６０の作動を停止させた後、駆動装置６０を逆転作動させて出力軸６０ａを逆回転させ、昇降プレート５２，５３，モータ５６及びドリル５８を上死点（初期位置）まで上昇させて、モータ５６及び駆動装置６０の作動を停止させる。
【００３６】
＜マーク付け装置２＞
このマーク付け装置２は、デモレンズを支持する支持装置８０と、マーカー保持手段１００と、研削された吸着盤付レンズの支持向き合せ装置１１０を有する。
【００３７】
支持装置８０は、Ｌ字状の支持プレート８１と、この支持プレート８１に固定されたガイド板８２と、ガイド板８２の正面８２ａに装着された一対の支持部８３を有する。
【００３８】
この支持部８３は台座８３ａ，パッド取付板８４，支持板８５を有し、この台座８３ａ，パッド取付板８４，支持板８５はこの順でガイド板８２の正面８２ａにボルト８６により固定されている。この台座８３ａはガイド板８２の上面よりも低く設けられ、パッド取付板８４の上端部正面にはゴム・合成樹脂等からなるパッド部材８７が固着されている。
【００３９】
また、支持板８５はガイド板８２の正面に水平方向に突出させられていて、この支持板８５にはＬ字状の保持駒８８が長手方向に移動可能に保持され、支持板８５の基部下面にはバネ受ピン８９が固定され、保持駒８８のバネ係合部８８ａとバネ受ピン８９との間にはコイルスプリング（付勢手段）９０が介装されている。９１はパッド８７に対向させて保持駒８８の鉛直部８８ｂに固着されたゴム・合成樹脂等からなるパッド部材、９２は支持板８５の上面に設けられたスケールである。
【００４０】
マーカー保持手段１００は、ガイド板８２に係合させる係合溝１０１ａが設けられたスライド部材１０１と、スライド部材１０１に固定されたガイド板１０２と、ガイド板１０２に上下動可能に保持されたＬ字状の支持部材１０３を有する。
【００４１】
この支持部材１０３にはクランプネジ１０４を介してバネ取付部材１０５が水平回動可能に保持され、このバネ取付部材１０５には一対の板バネ１０６，１０７の基端部が固着されている。この板バネ１０６の先端部にはＶ字状の折曲されたマーカー保持部１０６ａが形成されていて、このマーカー保持部１０６ａに係合させたマーカー１０８を板バネ１０７でマーカー保持部１０６ａに押し付けることにより、マーカー１０８が板バネ１０６，１０７間に着脱可能に保持されている。
【００４２】
支持向き合せ装置１１０は、ガイド板８２に係合させる係合溝１１１ａが設けられたスライド部材１１１と、このスライド部材１１１を貫通し且つ係合溝１１１ａと直交する方向にスライド可能にスライド部材１１１に保持された係合板１１２を有する。しかも、この係合板１１２の先端部には下方に向けて垂直に折曲された係合爪１１２ａが設けられている。
【００４３】
尚、Ｙテーブル１３には、このＹテーブル１３をＸテーブル１１に固定する固定ネジ１４０が装着されている。
【００４４】
次に、この様な構成のリムレスレンズの部品取付用の取付穴あけ装置の作用を説明する。
【００４５】
(1)位置決のマーキング
図７に示した様なデモ用メガネ１２０においては、レンズ形状のデモレンズ１２１，１２１間にブリッジ１２２が配設され、このブリッジ１２２の両端部に設けられたレンズ止め１２２ａ，１２２ａがビス１２３，１２３でデモレンズ１２１，１２１の対向縁部に固定されている。また、デモレンズ１２１の縁部のブリッジ１２２とは反対側の部分にはテンプル取付用金具（レンズ止め）１２４がビス１２５で固定され、テンプル取付用金具１２４にはテンプル（耳掛け）１２６が蝶番１２７を介して取り付けられている。尚、デモレンズ１２１はレンズ形状に三次元方向に湾曲している。
【００４６】
ところで、保持駒８８をコイルスプリング９０のバネ力に抗して支持板８５の先端側に移動させて、パッド部材８７，９１の間隔を広げ、デモ用メガネ１２０の左右のデモレンズ１２１，１２１を支持装置８０の一対の支持板８５上に載置した後、保持駒８８を離してパッド部材８７，９１間にデモレンズ１２１を挟持させる。
【００４７】
次に、スライド部材１０１の係合溝１０１ａをガイド板８２に係合させると共に、クランプネジ１０４を緩めてバネ取付部材１０５を水平回動させることにより、マーカー１０８の先端部をビス１２３または１２５の中心に合せて、クランプネジ１０４を締め付けバネ取付部材１０５を固定する。
【００４８】
この状態で、マーカー１０８の先端をデモレンズ１２１の上面に当接させて、スライド部材１０１をガイド板８２に沿って移動させることにより、左右のデモレンズ１２１，１２１上に位置決線を描く。この位置決線を左右のデモレンズ１２１，１２１上に描き終った後マーカー保持手段１００のクランプネジ１０４は緩めずに固定したままにしておく。
【００４９】
一方、図示しない玉摺機（レンズ研削装置）等で生地レンズ（玉板）の周縁部をデモ用メガネ１２０のデモレンズ１２１の形状に研削されて、図１０に示した様なリムレスレンズ１３０とされる。この研削されたレンズすなわちリムレスレンズ１３０には、研削に際してリムレスレンズ１３０を玉摺機のレンズ回転軸に保持させるための吸着盤１３１が吸着されている。
【００５０】
この吸着盤１３１は、円形の金属ベース１３１ａにゴム・合成樹脂等からなるカップ状体１３１ｂが一体に設けられたもので、軸心がリムレスレンズ１３０の光学中心に一致させられている。また、この吸着盤１３１の金属ベース１３１ａには、吸着盤１３１を玉摺機のレンズ回転軸に保持させる際に、このレンズ回転軸に対して位置決保持させるための位置決溝１３１ｃが形成されている。
【００５１】
この様な吸着盤付きレンズすなわちリムレスレンズ１３０を、支持装置８０の一対の支持板８５上に載置してパッド部材８７，９１間にデモレンズ１２１を挟持させる。
【００５２】
次に、支持向き合せ装置１１０を用いて、リムレスレンズ１３０の支持板８２に対する載置状態を調整する。即ち、スライド部材１１１の係合溝１１１ａをガイド板８２に係合させると共に、係合板１１２に設けた係合爪１１２ａを吸着盤１３１の金属ベース１３１ａに設けた位置決溝１３１ｃに係合させて、位置決溝１３１ｃとガイド板８２とを平行にする。
【００５３】
この後、クランプネジ１０４を固定したままのマーカ保持手段１００のスライド部材１０１の係合溝１０１ａをガイド板８２に係合させる。
【００５４】
この状態で、マーカー１０８の先端をリムレスレンズ１３０の上面に当接させて、スライド部材１０１をガイド板８２に沿って移動させることにより、リムレスレンズ１３０上に位置合せ用の直線を描く。この作業は、左右のリムレスレンズについて行う。
【００５５】
(2)取付孔加工（デモレンズ保持）
クランプネジ２７を緩めてパッド１８，３１間の間隔を大きく広げた状態で、右側のデモレンズ１２１をパッド１８に当接させ、このパッド１８に付した位置決線１８ａにデモレンズ１２１に付した位置決線を合せると共に、デモレンズ１２１を位置決フランジ２１に当接させる。この状態で、固定ネジ２５を締め付け、クランプネジ２７を締め付けて、パッド１８，３１間に右側のデモレンズ１２１を挟持固定させる。
【００５６】
尚、このデモレンズ１２１とパッド１８との位置合せに際しては、固定ネジ２５を操作して支持アーム２３を回動操作し、パッド３１をパッド１８から側方にずらしておくこともできる。また、図中、デモレンズ１２１は、左側のものと右側のものとは向きが異なるが、説明の便宜上同じ符号を付すと共に、左側のデモレンズ１２１には（Ｌ）を付加し、右側のデモレンズ１２１には（Ｒ）を付加して説明した。
【００５７】
同様にして、左側のデモレンズ１２１をパッド１９，３２間に挟持させる。尚、このデモレンズ１２１の挟持に際してはデモ用メガネ１２０のブリッジ１２２，テンプル取付用金具１２４をデモレンズ１２１，１２１から予め取り外しておくものとする。
【００５８】
（レンズ保持）
一方、周縁部が研削加工された左及び右のリムレスレンズ１３０，１３０から吸着盤１３１を取り外して、この左及び右のリムレスレンズ１３０，１３０をレンズ保持手段６のパッド１８´，３１´間及び１９´，３２´間に保持させる。尚、図中、リムレスレンズ１３０は、左側のものと右側のものとは向きが異なるが、説明の便宜上同じ符号を付すと共に、左側のレンズ１３０には（Ｌ）を付加し、右側のレンズ１３０には（Ｒ）を付加して説明した。
【００５９】
（穴あけ加工）
次に、片方の手で支持板４４をトーションスプリング４３のバネ力に抗して上方に変位させる一方、他方の手で支持壁１４または１５を掴んでデモレンズ保持手段５とレンズ保持手段６を前後左右に一体的に移動操作し、デモレンズ１２１に設けられた取付孔を支持板４４の先端部の穴係合子４５の下方に合せる。この際のデモレンズ保持手段５とレンズ保持手段６の移動はＸ−Ｙテーブル４の作用により行われる。
【００６０】
そして、支持板４４から手を放して穴係合子４５をトーションスプリング４３のバネ力によりデモレンズ１２１の取付孔に係合させ、更に支持壁１４または１５を掴んでデモレンズ保持手段５とレンズ保持手段６を前後左右に一体的に微動操作しながら、傾斜調整用の操作ツマミ３３を回動操作して、操作軸１６を回動操作することにより、穴係合子４５のテーパ面をデモレンズ１２１の取付孔の縁部に全周に渡って係合させる。
【００６１】
この操作軸１６の回動操作は、保持手段連動手段７すなわち、タイミングギヤ３４，３５とタイミングベルト３６を介して操作軸１６´に伝達されて、操作軸１６´のレンズ保持手段６に保持されたリムレスレンズ１３０の周縁部がデモレンズ１２１の周縁部の傾動動作に連動して傾動させられる。この際、リムレスレンズ１３０の周縁部とデモレンズ１２１の周縁部の傾斜状態は同じ状態となる。
【００６２】
この状態では、デモレンズ１２１の取付孔１２１ａの中心線と穴係合子４５の軸線とが一致すると共に、このデモレンズ１２１の表面と取付孔１２１ａの中心線とが交差する点を通る接平面が略水平になると共に、この接平面に対して穴係合子４５の軸線が直交させられる。
【００６３】
この位置で、電源スイッチ７０をONさせると制御回路（図示せず）が作動する。この状態で、制御回路は、スタートスイッチ７２をONさせると、モータ５６を作動させて回転出力軸５６ａを回転駆動させ、ドリル５８を回転させる一方、駆動装置６０を作動させて出力軸６０ａを正回転させる。
【００６４】
この回転に伴い、カム６２が回転させられて、図２中、リンク板６６が駆動レバー６５の右端部を上方に変位させることにより、駆動レバー６５の左端部が降下させられる。この際、昇降プレート５２，５３がモータ５６及びドリル５８と一体に駆動レバー６５により降下させられ、ドリル５８がリムレスレンズ１３０の周縁部に取付孔を穿設する。
【００６５】
この取付孔のリムレスレンズ１３０への穿設位置は、このリムレスレンズ１３０と同じ形状のデモレンズ１２１に設けられた取付孔の位置に対応する位置となる。しかも、このドリル５８の軸線は、ドリル５８の先端がリムレスレンズ１３０の外表面に接する点を通る接平面に対して垂直となる。尚、この接平面は略水平となっている。
【００６６】
そして、さらにカム６２が回転させられて、図２中、リンク板６６が駆動レバー６５の右端部を下方に変位させると、駆動レバー６５の左端部が上昇させられる。この際、昇降プレート５２，５３がモータ５６及びドリル５８と一体に駆動レバー６５により上昇させられ、ドリル５８がリムレスレンズ１３０から離反した後に上昇させられる。
この上昇に伴って、ドリル５８が上死点まで変位させられると同時に、マイクロスイッチ６３の係合ローラ６３ｂがカム６２の切欠６２ａに係合させられると、マイクロスイッチ６３がこの位置（初期位置）を検知して検知信号を出力する。この検知信号は制御回路に入力され、制御回路はこの検知信号を受けると、モータ５６及び駆動装置６０の作動を停止させる。
【００６７】
また、上述したスタートスイッチ７２をONさせた直後に、位置合せが不完全であることに気がついたときには、逆転スイッチ７１をONさせる。これにより、制御回路は、このドリル５８が降下させられている途中で、駆動装置６０の作動を停止させた後、駆動装置６０を逆転作動させて出力軸６０ａを逆回転させ、昇降プレート５２，５３，モータ５６及びドリル５８を上死点（初期位置）まで上昇させて、モータ５６及び駆動装置６０の作動を停止させる。
【００６８】
【効果】
以上説明したように、この発明は、部品取付用の取付穴が周縁部に設けられたデモレンズを、その屈折面に当接する保持部材を介して保持可能に設けられたデモレンズ保持手段と、前記デモレンズ保持手段により保持されたデモレンズの左右眼に対応させて、研削加工後のリムレスレンズを、その屈折面に当接する保持部材を介して保持するレンズ保持手段と、前記レンズ保持手段に保持された研削加工後のリムレスレンズの周縁部の所定位置に部品取付用の取付穴をあけるための穴加工手段と、前記デモレンズ保持手段に保持されたデモレンズを傾斜調整することにより、前記レンズ保持手段に保持された研削加工後のリムレスレンズを前記穴加工手段の軸線に対して傾斜調整する構成としたので、周縁部がデモレンズ形状に研削加工されたリムレスレンズの周縁部に設ける部品取付用の取付穴を、熟練を要せずに屈折面の接平面に対して直角に容易にあけることができる。
【図面の簡単な説明】
【図１】この発明にかかるリムレスレンズのレンズ止め穴明け装置の平面図である。
【図２】（ａ）は図１の装置の一部を側面から見た概略説明図、（ｂ）は（ａ）に示したカムの要部説明図である。
【図３】図１に示した装置を部分的に破断すると共にその一部を正面から見た説明図である。
【図４】図１に示したレンズ及びデモレンズ保持部の斜視図である。
【図５】図４に示したデモレンズ保持部の説明図である。
【図６】(a)はこの発明にかかる装置の作用説明図、(b)は(a)に示したパッドの説明すである。
【図７】この発明にかかるリムレスレンズのレンズ止め穴明け装置に用いるマーク付け装置の斜視図である。
【図８】図７に示したマーク付け装置の一部である支持装置の平面図である。
【図９】図７に示したマーク付け装置の作用説明図である。
【図１０】図７に示した支持装置に支持させるリムレスレンズの向きを決める装置の作用説明図である。
【符号の説明】
１２１…デモレンズ
５…デモレンズ保持手段
８…穴位置検出手段
１３０…リムレスレンズ
６…レンズ保持手段
９…穴加工手段
４…Ｘ−Ｙテーブル（移動手段）
【図１】
0003687998.tif 000002
【図２】
0003687998.tif 000003
【図３】
0003687998.tif 000004
【図４】
0003687998.tif 000005
【図５】
0003687998.tif 000006
【図６】
0003687998.tif 000007
【図７】
0003687998.tif 000008
【図８】
0003687998.tif 000009
【図９】
0003687998.tif 000010
【図１０】
0003687998.tif 000011